(57)【要約】【課題】ハウジングの低背化を実現できるとともに、フェルールの位置精度も高めることができる光コネクタを提供する。【解決手段】光コネクタ１１は、外被３１から露出された光ファイバ心線１５の先端部に固定されるフェルール１７と、フェルール１７を前方に収容するハウジング１９と、ハウジング１９の後方開口２１から装着されてフェルール１７を位置決め保持するフェルール保持部材２７と、フェルール１７をハウジング１９の先端側に付勢するばね部材５９と、を備える。ばね部材５９は、フェルール保持部材２７に後端部が固定されて先端側が保持部材側面４７に沿ってフェルールの軸線に接近する方向に湾曲しながら前方に延びる自由端とされる弾性アーム片７５と、弾性アーム片７５の先端部に形成されて凸曲面がフェルール１７の後端面８１に摺接するＲ曲げ部７９と、を有する。【選択図】図１
2014235371.tif 000002
【特許請求の範囲】
【請求項１】
外被から露出された光ファイバ心線の先端部に固定されるフェルールと、
前記フェルールを前方に収容するハウジングと、
前記ハウジングの後方開口から装着されて前記ハウジング内における前記フェルールを位置決め保持するフェルール保持部材と、
前記フェルールを前記ハウジングの先端側に付勢するばね部材と、
を備えた光コネクタであって、
前記ばね部材は、
前記フェルール保持部材に後端部が固定されて先端側が前記フェルール保持部材の側面に沿って前記フェルールの軸線に接近する方向に湾曲しながら前方に延びる自由端とされる弾性アーム片と、
前記弾性アーム片の先端部に形成されて凸曲面が前記フェルールの後端面に摺接するＲ曲げ部と、
を有することを特徴とする光コネクタ。
【請求項２】
後端部が前記フェルール保持部材に固定された前記弾性アーム片の先端側は、撓み変形時の干渉が回避される干渉回避空間を前記フェルール保持部材の側面との間に有することを特徴とする請求項１に記載の光コネクタ。
【請求項３】
前記弾性アーム片が、前記光ファイバ心線を間に配置して先端側が一対の平行な自由端とされることを特徴とする請求項１又は２に記載の光コネクタ。
【発明の詳細な説明】
【技術分野】
【０００１】
本発明は、光コネクタに関する。
【背景技術】
【０００２】
自動車用等において、光ファイバ相互の接続に使用される光コネクタが知られている。フェルールを有する光コネクタは、嵌合する相手フェルールとの隙間を減らすため等の目的で、フェルールを相手フェルールとの接続方向へ弾性付勢するバネ部材を備えている。
例えば、特許文献１に開示された光コネクタ５０１は、図５（ａ）に示すように、光ファイバを被覆部（外被）で被覆した光ファイバケーブル５０３の端末に取り付けられるフェルール５０５と、フェルール５０５を収容するハウジング５０７と、ハウジング５０７内にてフェルール５０５を先端側へ付勢するバネ部材である板バネ５０９と、フェルール５０５の後端側に設けられ、板バネ５０９による付勢力に抗したフェルール５０５の後端側への移動を所定位置にて規制する係止片５１１を有するストッパ５１３とを備える。ストッパ５１３は、ハウジング５０７の開口部５１５から組み付けられる。
【０００３】
バネ鋼から形成された板バネ５０９は、図５（ｂ）に示すように、円弧状に湾曲された連結部５２４を有しており、この連結部５２４の一端側には、平板状に形成された３つの支持片５２２が延在されている。これら支持片５２２同士は、フェルール５０５の保持円筒部５１９の外径よりも僅かに大きな間隔をあけて配置されている。連結部５２４は、その中央に形成されたスリット５２６によって２つの分割連結部５２１とされており、これら分割連結部５２１には、それぞれ一対の付勢片５２３が形成されている。一対の付勢片５２３は、フェルール５０５の保持円筒部５１９の外径よりも僅かに大きな間隔をあけて配置されており、支持片５２２と並列に配置されている。これら付勢片５２３は、支持片５２２とは反対側へ突出するように屈曲されている。
【０００４】
このように形成された板バネ５０９は、フェルール５０５が装着されたハウジング５０７に対して、付勢片５２３を先端側へ配置させた状態にて支持片５２２及び付勢片５２３を向けて開口部５１５から組み付けられる。板バネ５０９は、ハウジング５０７内に形成されたバネ収納凹部５１７に差し込まれ、ハウジング５０７内のフェルール５０５の保持円筒部５１９を跨ぐように組み付けられる。つまり、板バネ５０９は、バネ収納凹部５１７に差し込まれることにより、バネ収納凹部５１７のハウジング５０７の後端側の壁面５１７ａと、それぞれのフェルール５０５の第１フランジ５２５との間に配置される。これにより、各フェルール５０５は、付勢片５２３から第１フランジ５２５が受ける板バネ５０９の付勢力によってハウジング５０７の先端側へ付勢され、第１フランジ５２５が小径孔の縁部５２７に当接した状態とされている。
このような光コネクタ５０１によれば、コネクタ接続方向への良好な付勢力が常に維持され高い接続信頼性が得られる。
【先行技術文献】
【特許文献】
【０００５】
【特許文献１】特開２０１１−９５６０１号公報
【発明の概要】
【発明が解決しようとする課題】
【０００６】
しかしながら、上記した従来の光コネクタ５０１は、略Ｕ字状に折り曲げた状態の板バネ５０９を使用するため、十分なストロークと反力を出すには十分なスパン長さの付勢片５２３が必要になり、現在のレイアウトの場合、ハウジング５０７がコネクタ接続方向と交差する方向（図５（ａ）中、上下方向）に大きくなってしまう。
また、従来の光コネクタ５０１は、フェルール周辺のハウジング５０７に板バネ５０９を収容するための開口部５１５を設けているため、フェルール５０５とハウジング５０７の接触面が少なくなり、ハウジング５０７内でのフェルール５０５の位置精度を高め難いという問題がある。
更に、従来の板バネ５０９は、図５（ｂ）に示したように、複数の支持片５２２及び付勢片５２３が同一方向へ突出するように略Ｕ字状に折り曲げられた複雑な形状を有している。そのため、板バネ５０９を組付ける作業者が板バネ５０９を梱包から取り出す際、板バネ同士が絡みつき易く、組付け作業の妨げになることがあった。
【０００７】
本発明は上記状況に鑑みてなされたもので、その目的は、ハウジングの低背化を実現できるとともに、フェルールの位置精度も高めることができる光コネクタを提供することにある。
【課題を解決するための手段】
【０００８】
本発明に係る上記目的は、下記構成により達成される。
（１）  外被から露出された光ファイバ心線の先端部に固定されるフェルールと、前記フェルールを前方に収容するハウジングと、前記ハウジングの後方開口から装着されて前記ハウジング内における前記フェルールを位置決め保持するフェルール保持部材と、前記フェルールを前記ハウジングの先端側に付勢するばね部材と、を備えた光コネクタであって、前記ばね部材は、前記フェルール保持部材に後端部が固定されて先端側が前記フェルール保持部材の側面に沿って前記フェルールの軸線に接近する方向に湾曲しながら前方に延びる自由端とされる弾性アーム片と、前記弾性アーム片の先端部に形成されて凸曲面が前記フェルールの後端面に摺接するＲ曲げ部と、を有することを特徴とする光コネクタ。
【０００９】
上記（１）の構成の光コネクタによれば、ばね部材の弾性アーム片は、後端部がフェルール保持部材に固定され、先端側がフェルール保持部材の側面に沿ってフェルールの軸線に接近する方向に湾曲しながら前方に延びる略直線形状とされている。また、弾性アーム片の先端部には、凸曲面がフェルールの後端面に摺接するＲ曲げ部が形成されている。そこで、後退するフェルールに押圧された弾性アーム片は、Ｒ曲げ部がフェルールの後端面に円滑に摺接しながら撓み変形することで、フェルールをハウジングの先端側に円滑に付勢することができる。
即ち、フェルール保持部材の側面に沿って延びる略直線状の板バネ形状とされたばね部材は、コネクタ接続方向と交差する方向に大きな収容スペースをハウジングに確保する必要がなくなる。そこで、ハウジングを低背化できる。
また、ばね部材は、弾性アーム片の後端部がフェルール保持部材に固定されて、フェルール保持部材と供にハウジングの後方開口から装着されるため、従来構造のようにフェルールの挿入方向と直交する方向に、ばね部材を装着する為の開口部を設ける必要がなくなり、ハウジングはフェルールとの接触面積を大きく確保することができる。そこで、ハウジング内でのフェルールの位置精度を高めることができる。
更に、弾性アーム片が略直線形状とされたばね部材は、略Ｕ字状に折り曲げられた複雑な形状の従来のばね部材に比べて、ばね部材同士が絡みにくくなる。そこで、ばね部材を組付ける作業者は、ばね部材を梱包からスムースに取り出すことができ、組付け作業性が向上する。
【００１０】
（２）  上記（１）の構成の光コネクタであって、後端部が前記フェルール保持部材に固定された前記弾性アーム片の先端側は、撓み変形時の干渉が回避される干渉回避空間を前記フェルール保持部材の側面との間に有することを特徴とする光コネクタ。
【００１１】
上記（２）の構成の光コネクタによれば、後退するフェルールに押圧されて弾性アーム片の先端側が大きく撓んだ際にも、弾性アーム片は干渉回避空間によってフェルール保持部材との干渉が回避される。そこで、ばね部材はフェルールをハウジングの先端側に所定のストロークと反力で滑らかに付勢することができる。なお、干渉回避空間は、ハウジング内での弾性アーム片の撓み範囲でフェルール保持部材との干渉を回避可能なクリアランス寸法を有している。
【００１２】
（３）  上記（１）又は（２）の構成の光コネクタであって、前記弾性アーム片が、前記光ファイバ心線を間に配置して先端側が一対の平行な自由端とされることを特徴とする光コネクタ。
【００１３】
上記（３）の構成の光コネクタによれば、一対の平行な自由端とされた弾性アーム片は、各先端部のＲ曲げ部がフェルールの軸線を挟んで対称にフェルールの後端面に摺接でき、フェルールを軸線方向に沿って付勢することができ、フェルールの傾きを抑制できる。
【発明の効果】
【００１４】
本発明に係る光コネクタによれば、ハウジングの低背化を実現できるとともに、フェルールの位置精度も高めることができる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】本発明の一実施形態に係る光コネクタの分解斜視図である。
【図２】図１に示した光コネクタの要部縦断面図である。
【図３】（ａ）は図１に示したばね部材の拡大斜視図、（ｂ）は変形例に係るばね部材の拡大斜視図である。
【図４】本発明の他の実施形態に係るばね部材を備えた光コネクタの要部分解斜視図である。
【図５】（ａ）は従来の光コネクタの縦断面図、（ｂ）は（ａ）に示したバネ部材の斜視図である。
【発明を実施するための形態】
【００１７】
以下、本発明に係る実施形態を図面を参照して説明する。
図１に示すように、本発明の一実施形態に係る光コネクタ１１は、１芯の光ファイバ心線１５及び抗張力繊維２９を外被３１で覆った光ファイバケーブル１３のケーブル先端部に取付けられる光コネクタである。
本実施形態に係る光コネクタ１１は、光ファイバケーブル１３の光ファイバ心線１５の先端部に固定されるフェルール１７と、フェルール１７を前方に収容するハウジング１９と、ハウジング１９の後方開口２１から装着されてハウジング１９におけるフェルール１７及び光ファイバ心線１５を位置決め保持するフェルール保持部材２７と、フェルール１７をハウジング１９の先端側に付勢するばね部材５９と、フェルール保持部材２７の筒部２３の外周に被せられた光ファイバケーブル１３の抗張力繊維２９及び外被３１を固定する加締めリング３３と、光ファイバケーブル１３及び加締めリング３３の外周を覆う保護部３５とこの保護部３５の基端両側に連設された一対の掛止突起３７とを有するブーツ３９と、を備える。
【００１８】
光ファイバケーブル１３は、光ファイバ心線１５と、光ファイバ心線１５の外側に沿って（縦添えして）設けられた抗張力繊維２９と、抗張力繊維２９の外周を覆う外被３１と、で構成される。
【００１９】
フェルール１７には、光ファイバケーブル１３から外被３１や抗張力繊維２９が除去されて露出した光ファイバ心線１５が挿入固定される。フェルール１７は、ハウジング１９内において軸線方向に移動自在に収容され、ハウジング１９に収容されるばね部材５９によって前方へ弾性付勢される。
ばね部材５９によって前方へ弾性付勢されるフェルール１７は、フェルール収納室４２に突設されたストッパ壁４４に第１円環部５１が当接することで、それ以上の前方への突出が防止される。フェルール１７は、相手光コネクタのフェルール１７と接合端面を以って突き合わせ接続される。これにより、フェルール１７によってコネクタ接続可能に成端された光ファイバ心線１５が相手光コネクタの光線路と接続される。
【００２０】
フェルール１７は、相手光コネクタとの突き合わせ時にばね部材５９の弾性変形範囲内で、接続方向後方へ若干押し込むことが可能であるから、これにより、極度の応力集中による破損等が防止される。そして、ばね部材５９の付勢力がフェルール同士間の突き合わせ力として作用して、目的の接続損失が安定に得られるように構成されている。
【００２１】
図１及び図２に示すように、合成樹脂製のハウジング１９は、図示しない相手光コネクタとの一つの結合開口部４１を前方に有する。ハウジング１９の後方には、後方開口２１が形成される。ハウジング１９は、結合開口部４１の奥側に、フェルール保持部材２７に保持された一本のフェルール１７を後方開口２１から挿入して収容する。
【００２２】
ハウジング１９の内方には保持部材収容空間４３が形成され、この保持部材収容空間４３には、フェルール保持部材２７の保持部材本体部２５が収容される。保持部材収容空間４３に保持部材本体部２５が収容されたフェルール保持部材２７は、筒部２３が後方開口２１から突出した状態でハウジング１９に装着される。
【００２３】
フェルール保持部材２７は硬質樹脂材料よりなり、光ファイバ心線１５を内方に載置する一本のファイバ挿入溝４５が形成された保持部材本体部２５を有する。ファイバ挿入溝４５は、保持部材側面（フェルール保持部材の側面）４７の前後方向に沿って凹設されている。保持部材本体部２５の後端には、後方に向けて筒部２３が突設されている。筒部２３の内方には、上記ファイバ挿入溝４５が延在する。フェルール保持部材２７は、光ファイバ心線１５がファイバ挿入溝４５に挿通された状態でハウジング内に収容されると共に、ハウジング１９の後方開口２１から筒部２３が導出される。
【００２４】
フェルール保持部材２７は、ハウジング内に装着されてハウジング内におけるフェルール１７及び光ファイバ心線１５を位置決め保持する。フェルール保持部材２７の保持部材先端部には支持部４９が設けられ、支持部４９は第２円環部５２を係止してフェルール１７の先端側への移動を規制する。支持部４９は、フェルール１７の外周面に沿って延びるＵ字状支持部５３と、Ｕ字状支持部５３の両端を保持部材先端部に連設する一対の連結支持部５５とを有する。Ｕ字状支持部５３は、フェルール１７を載置して下方から支持できるように半円筒状に形成されている。
【００２５】
保持部材本体部２５の保持部材側面４７には、ファイバ挿入溝４５を挟んで一対のバネ固定部５７が形成される。このバネ固定部５７には、ばね部材５９の後端部に形成された係合片部６１が嵌入される。
【００２６】
フェルール保持部材２７の保持部材後端部には、光ファイバ心線１５が導出される筒部２３が設けられ、筒部２３には光ファイバケーブル１３の抗張力繊維２９及び外被３１が加締めリング３３によって固定される。
【００２７】
保持部材本体部２５の両側の外側部には、弾性係止片７１及びブーツ係止用突起７３が設けられる。弾性係止片７１は、先端側が保持部材本体部２５に接続し、後端側が徐々に離間した自由端となっている。即ち、平面視で逆ハ字状に開脚している。この自由端の先端は、係止爪として形成される。弾性係止片７１は、係止爪が外側部に接近離反する方向に弾性変形可能となっている。この係止爪は、ハウジング１９の内方に設けた係止段部（図示せず）に係止される。ブーツ係止用突起７３は、保持部材本体部２５の後方端のそれぞれの外側部から外側に向かって垂直に突出している。
【００２８】
本実施形態に係るばね部材５９は、バネ性の高い金属材料や樹脂材料等の薄板からなる。ばね部材５９は、図３（ａ）に示すように、保持部材本体部２５のバネ固定部５７に後端部が固定されて先端側が保持部材側面４７に沿ってフェルール１７の軸線Ｘに接近する方向に湾曲しながら前方に延びる一対の平行な自由端とされる弾性アーム片７５と、弾性アーム片７５の先端部に形成されて凸曲面がフェルール１７の後端面８１に摺接するＲ曲げ部７９と、を有する（図２参照）。即ち、保持部材側面４７に沿って前方に延びる一対の平行な弾性アーム片７５を有するばね部材５９は、ばね全体形状が略直線状の板バネ形状とされている。そして、一対の平行な弾性アーム片７５は、光ファイバ心線１５を間に配置して、その先端部のＲ曲げ部７９でフェルール１７の第２円環部５２を前方へ押圧する。
【００２９】
本実施形態のばね部材５９は、弾性アーム片７５と反対側の後端部に下方へ垂直に曲げられる一対の係合片部６１が形成され、係合片部６１は保持部材本体部２５に形成されるバネ固定部５７に係合する。ばね部材５９は、係合片部６１をバネ固定部５７に係合することで、フェルール保持部材２７からの離脱が防止され、ファイバ挿入溝４５を覆った状態でフェルール保持部材２７に装着される。
【００３０】
図２に示すように、係合片部６１が保持部材本体部２５のバネ固定部５７に固定されたばね部材５９の弾性アーム片７５の先端側は、撓み変形時の干渉が回避される干渉回避空間９１を保持部材側面４７との間に有している。干渉回避空間９１は、ハウジング１９内での弾性アーム片７５の上下方向での撓み範囲で保持部材側面４７との干渉を回避可能なクリアランス寸法（間隙）を有している。
弾性アーム片７５の先端部に形成されたＲ曲げ部７９は、凸曲面がフェルール１７の後端面８１に摺接する。また、弾性アーム片７５の全体も、Ｒ曲げ部７９に倣う方向でそれよりも大きい曲げ半径で円弧状に曲げられている。これにより、弾性アーム片７５は、後退するフェルール１７から押圧された際の先端側の曲がり方向が、一方向（図２の下向き方向）となるように制御がなされる。
【００３１】
なお、フェルール保持部材２７に固定されるばね部材５９の後端部は、図３（ａ）に示した係合片部６１が弾性アーム片７５から垂下するＬ字形状の他に、図３（ｂ）に示すように、係合片部８３を弾性アーム片７５の後端部の両側に翼状に延出させた形状とすることもできる。このような板バネ８５によれば、係合片部８３が垂下せず、ばね全体形状が更に直線形状に近い板バネ形状となるので、梱包内等においても、より絡みにくくできる。
【００３２】
ブーツ３９は、合成ゴム等の軟質材からなり、光ファイバケーブル１３及び金属製の加締めリング３３の外周を覆う保護部３５を有する。保護部３５の基端側にはリング収容穴８７が形成され、リング収容穴８７は光ファイバケーブル１３の抗張力繊維２９及び外被３１を筒部２３に加締め固定した加締めリング３３を外周側から覆う。保護部３５の周囲には、保護部３５に適宜な屈曲性を付与する複数の周溝８９が形成される。
【００３３】
保護部３５の基端両側には、前方（ハウジング内方側）に向かって一対の掛止突起３７が突設されている。掛止突起３７は可撓性を有しており、この可撓性により先端が外側に変位するように開脚自在となる。そこで、掛止突起３７の開口部にブーツ係止用突起７３を挿入することで、ブーツ３９はフェルール保持部材２７からの抜けが阻止される。
そして最後に、ブーツ３９を係止したフェルール保持部材２７が、ハウジング１９の後方開口２１から装着され、光コネクタ１１の組立が完了する。
【００３４】
次に、上記構成を有する光コネクタ１１の作用を説明する。
本実施形態に係る光コネクタ１１におけるばね部材５９の弾性アーム片７５は、後端部の係合片部６１がフェルール保持部材２７に固定され、先端側が保持部材側面４７に沿ってフェルール１７の軸線Ｘに接近する方向に湾曲しながら前方に延びる略直線形状とされている。また、弾性アーム片７５の先端部には、凸曲面がフェルール１７の後端面８１に摺接するＲ曲げ部７９が形成されている。
【００３５】
そこで、後退するフェルール１７に押圧された弾性アーム片７５は、Ｒ曲げ部７９がフェルール１７の後端面８１に円滑に摺接しながら撓み変形することで、フェルール１７をハウジング１９の先端側に円滑に付勢することができる。
即ち、フェルール保持部材２７の保持部材側面４７に沿って延びる略直線状の板バネ形状とされたばね部材５９は、コネクタ接続方向と交差する方向（図２中、上下方向）に大きな収容スペースをハウジング１９に確保する必要がなくなる。そこで、ハウジング１９を低背化できる。
【００３６】
また、ばね部材５９は、弾性アーム片７５の後端部がフェルール保持部材２７に固定されて、フェルール保持部材２７と供にハウジング１９の後方開口２１から装着される。そこで、図５（ａ）に示した従来の光コネクタ５０１のように、フェルール５０５の挿入方向と直交する方向に、板バネ５０９を装着する為の開口部５１５を設ける必要がなくなり、ハウジング１９はフェルール１７との接触面積を大きく確保することができる。
その結果、ハウジング１９内でのフェルール１７の位置精度を高めることができる。
【００３７】
更に、弾性アーム片７５が略直線形状とされたばね部材５９は、略Ｕ字状に折り曲げられた複雑な形状の従来の板バネ５０９（図５（ｂ）参照）に比べて、ばね部材５９同士が絡みにくくなる。そこで、ばね部材５９を組付ける作業者は、ばね部材５９を梱包からスムースに取り出すことができ、組付け作業性が向上する。
【００３８】
また、本実施形態の光コネクタ１１では、係合片部６１が保持部材本体部２５のバネ固定部５７に固定された弾性アーム片７５の先端側は、撓み変形時の干渉が回避される干渉回避空間９１を保持部材側面４７との間に有している。そこで、フェルール収納室４２内を後退するフェルール１７に押圧されて弾性アーム片７５の先端側が大きく撓んだ際にも、弾性アーム片７５は干渉回避空間９１によってフェルール保持部材２７との干渉が回避される。
その結果、ばね部材５９は、フェルール１７をハウジング１９の先端側に所定のストロークと反力で滑らかに付勢することができる。
【００３９】
また、本実施形態の光コネクタ１１では、弾性アーム片７５が、光ファイバ心線１５を間に配置して先端側が対を成す平行な自由端とされている。そこで、一対の平行な自由端とされた弾性アーム片７５は、各先端部のＲ曲げ部７９がフェルール１７の軸線Ｘを挟んで対称にフェルール１７の後端面８１に摺接でき、フェルール１７を軸線方向に沿って付勢することができ、フェルール１７の傾きを抑制できる。
【００４０】
従って、上述した本実施形態に係る光コネクタ１１によれば、ハウジング１９の低背化を実現できるとともに、フェルール１７の位置精度も高めることができる。
なお、本発明に係る光コネクタは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【００４１】
例えば、図４に示した本発明の他の実施形態に係るばね部材９９は、２芯の光ファイバ心線１５及び抗張力繊維２９を外被３１で覆った光ファイバケーブル９３のケーブル先端部に取付けられる光コネクタに用いられるものである。尚、上記光コネクタ１１と同様の構成部材については、同符号を付して詳細な説明は省略する。
【００４２】
本実施形態のばね部材９９は、保持部材本体部９５のバネ固定部５７に後端部が固定されて先端側が保持部材側面４７に沿ってフェルール１７の軸線Ｘに接近する方向に湾曲しながら前方に延びる二対の平行な自由端とされる弾性アーム片７５と、弾性アーム片７５の先端部に形成されたＲ曲げ部７９と、を有する。即ち、ばね部材９９は、二対の平行な弾性アーム片７５を有し、それぞれの間に２本の光ファイバ心線１５を配置して、その先端で一対のフェルール１７を前方へ押圧付勢している。
【００４３】
ばね部材９９には、二対の弾性アーム片７５と反対側の後端部に下方へ垂直に曲げられる一対の係合片部６１が形成され、係合片部６１は保持部材本体部９５に形成されたバネ固定部５７に係合する。ばね部材９９は、係合片部６１をバネ固定部５７に係合することで、フェルール保持部材９７に装着される。
【００４４】
従って、本実施形態に係るばね部材９９は、二対の弾性アーム片７５の先端側が保持部材側面４７に沿ってフェルール１７の軸線Ｘに接近する方向に湾曲しながら前方に延びる略直線状の板バネ形状とされている。また、二対の弾性アーム片７５の先端部には、凸曲面がフェルール１７の後端面８１に摺接するＲ曲げ部７９が形成されている。
【００４５】
そこで、ハウジング内を後退する一対のフェルール１７に押圧された二対の弾性アーム片７５は、Ｒ曲げ部７９が一対のフェルール１７の後端面８１に円滑に摺接しながら撓み変形することで、一対のフェルール１７をハウジング１９の先端側に円滑に付勢することができる。
従って、本実施形態に係るばね部材９９は、上記実施形態のばね部材５９と同様に、収容されるハウジングを低背化できると共に、ハウジング内でのフェルール１７の位置精度を高めることができる。また、略直線状の板バネ形状とされたばね部材９９も、略Ｕ字状に折り曲げられた複雑な形状の従来の板バネ５０９（図５（ｂ）参照）に比べて、ばね部材９９同士が絡みにくくなる。
【符号の説明】
【００４６】
１１…光コネクタ
１５…光ファイバ心線
１７…フェルール
１９…ハウジング
２１…後方開口
２７…フェルール保持部材
３１…外被
４７…保持部材側面（フェルール保持部材の側面）
５９…ばね部材
７５…弾性アーム片
７９…Ｒ曲げ部
８１…後端面
【図１】
2014235371.tif 000003
【図２】
2014235371.tif 000004
【図３】
2014235371.tif 000005
【図４】
2014235371.tif 000006
【図５】
2014235371.tif 000007